(57)【要約】【課題】リール紐を引き出したり収納したりすることができるリール本体を、突刺ピンのような取付具を使用することなく被服などの被固定体に固定できるリールポケットを提供する。【解決手段】リールポケット(20)は、被固定体(30)へ固定されるポケット基材(21)と、  前記のリール本体(10)を出し入れするリール出入り口(22C)を備えて前記のポケット基材(21)へ重ね合わせて固定されるカバー部材(22)と、を備える。  前記のリール出入り口(22C)から入れた前記のリール本体(10)を収納した際に前記のリール紐(11)の紐先端（12)をリールポケット(20)から外へ引き出す紐先端引き出し孔(22A)を備える。【選択図】  図２
2014087303.tif 000002
【特許請求の範囲】
【請求項１】
リール紐を引き出したり収納したりすることができるリール本体を収納するリールポケットであって、
被固定体へ固定されるポケット基材と、
前記のリール本体を出し入れするリール出入り口を備えて前記のポケット基材へ重ね合わせて固定されるカバー部材と、を備え、
前記のリール出入り口から入れた前記のリール本体を収納した際に前記のリール紐の紐先端をリールポケットから外へ引き出す紐先端引き出し孔を備えたリールポケット。
【請求項２】
前記のリール出入り口から収納されたリール本体におけるリール紐の引き出し部付近をカバーするリール保護体を備えた請求項１に記載のリールポケット。
【請求項３】
前記のリール出入り口からリール本体が飛び出さないように覆う蓋部材を備えた請求項１または請求項２のいずれかに記載のリールポケット。
【請求項４】
前記の紐先端引き出し孔の位置を変えられるように形成した請求項１から請求項３のいずれかに記載のリールポケット。
【請求項５】
前記の紐先端引き出し孔を複数備えた請求項１から請求項４のいずれかに記載のリールポケット。
【請求項６】
前記のリール出入り口から収納されたリール本体が安定するように、リール本体を押さえる押さえ部材を備えた請求項１から請求項５のいずれかに記載のリールポケット。
【請求項７】
前記の紐先端引き出し孔から引き出された紐先端に固定されたツールを覆って安定させるためのツールカバーを備えた請求項１から請求項６のいずれかに記載のリールポケット。
【請求項８】
前記のリール本体において、ポケット基材の内側面またはカバー部材の内側面に接する面には、前記のリール出入り口から収納されたリール本体が飛び出しにくくするための凹凸を備えた請求項１から請求項７のいずれかに記載のリールポケット。
【発明の詳細な説明】
【技術分野】
【０００１】
本発明は、リール紐を引き出したり収納したりすることができるリール本体を収納するリールポケットに関する。
【背景技術】
【０００２】
釣人は、魚釣りする際に、鋏、カッター、フックシャープナーなどの魚釣り用の小道具を頻繁に使用する。したがって、魚釣り用の小道具を衣服のポケットやバッグに収納していたのでは不便である。そこで、魚釣り用の小道具を衣服に吊り下げて携帯するためのピンオンリールが使用されている。ピンオンリールは、普段、魚釣り用の小道具を邪魔にならないように衣服に吊り下げて携帯し、必要な時に前記小道具を素早く引き出して使用するものである。
【０００３】
ピンオンリールは、例えば特許文献１に示したように、引出糸が予めケーシングの内部に収容したスプールに巻き取られており、前記引出糸の先端には、小道具を取り付けるためのスナップ等の連結具が設けられている。また、前記ケーシングの外側には、衣服等へ取り付けるための突刺ピンを有する取付部が設けられている。
【０００４】
一方、上記のピンオンリールを取り付けるために、特許文献２に示したように、丈夫なピンオンリール装着片を縫付けた釣り用衣服が使用されている。しかも、前記ピンオンリール装着片は、ピンオンリールの引出糸を引き出しやすくなるように衣服本体に揺動自在に取り付けられている。
【先行技術文献】
【特許文献】
【０００５】
【特許文献１】特開２００７−２２２０１２号公報
【特許文献２】特開２０１１−１４２８５３号公報
【発明の概要】
【発明が解決しようとする課題】
【０００６】
特許文献１に示したピンオンリールは、例えば突刺ピンによって衣服に取り付けるとしても、小道具を装着すると重くなるために、その取付け箇所で衣服の生地が傷んでくる。
【０００７】
特許文献２に示したように、衣服にピンオンリール装着片を縫付けた釣り用衣服が使用される。ピンオンリールはピンオンリール装着片に取り付けられるので、衣服の傷みを防止できる。しかし、そのような特殊な釣り用衣服ではなく、普段に着る衣服にピンオンリール装着片を縫付けることは、手間と費用がかかる。
【０００８】
ピンオンリールのような便利なツールは、釣り用の服に限られず、様々な服に用いたい。
しかし、従来技術においては、取付け箇所で衣服の生地が傷んでくる、という問題があり、用いることができる服は限られてしまう。
【０００９】
本発明が解決しようとする課題は、リール紐を引き出したり収納したりすることができるリール本体を、突刺ピンのような取付け具を使用することなく、被服などの被固定体に固定できるようにすることにある。
【課題を解決するための手段】
【００１０】
（第一の発明）
本願における第一の発明は、  リール紐(11)を引き出したり収納したりすることができるリール本体(10)を収納するリールポケット(20)に係る。
すなわち、  被固定体(30)へ固定されるポケット基材(21)と、
前記のリール本体(10)を出し入れするリール出入り口(22C)を備えて前記のポケット基材(21)へ重ね合わせて固定されるカバー部材(22)と、を備える。
前記のリール出入り口(22C)から入れた前記のリール本体(10)を収納した際に前記のリール紐(11)の紐先端（12)をリールポケット(20)から外へ引き出す紐先端引き出し孔(22A)を備える。
【００１１】
（用語説明）
「リール本体」とは、巻き取り機構を備えることによって引き出したリール紐(11)を収納することができるとともに、引き出したリール紐(11)を引き出した状態にて維持するためのロック機構を備えている。
「紐先端（12)」とは、リール紐(11)を固定することで便利に用いる道具（たとえば鋏）を固定する。  前記の道具を直接固定する場合の他、通常は、ワンタッチスナップにおけるオスメス部材のうちの一方を固定している。
「被固定体(30)」とは、具体的には、被服、カバン、クーラーボックスなどである。
【００１２】
（作用）
まず、被固定体(30)に対してポケット基材(21)を固定する。  次に、リール出入り口(22C)に対してリール本体(10)を挿入すると、ポケット基材(21)とカバー部材(22)とに挟まれることとなる。  そして、紐先端引き出し孔(22A)からリール紐(11)の紐先端（12)を出す。
紐先端（12)を引っ張ると、リール本体(10)に収納されていたリール紐(11)を引き出すことができる。リール本体(10)は、カバー部材(22)にて覆われているので、邪魔にならない。
【００１３】
（第一の発明のバリエーション１）
第一の発明に係るリールポケット(20)は、以下のように形成してもよい。
すなわち、  前記のリール出入り口(22C)から収納されたリール本体(10)におけるリール紐(11)の引き出し部付近をカバーするリール保護体(23)を備えることとしてもよい。
【００１４】
（用語説明）
「リール保護体(23)」は、リール本体(10)がリール紐(11)を巻き取る際に、紐先端（12)へ固定した道具がリール本体(10)へ直接衝突することを防ぐ緩衝材の役割を果たす。
【００１５】
（作用）
紐先端(12)へ固定した道具を引っ張ってリール本体(10)からリール紐(11)を引き出し、前記道具にて作業する。その作業後にリール紐(11)が巻き戻されるとき、紐先端(12)の道具がリール本体(10)へ直接衝突しないようにリール保護体(23)が緩衝材となる。
【００１６】
（第一の発明のバリエーション２）
第一の発明に係るリールポケット(20)は、以下のように形成してもよい。
すなわち、  前記のリール出入り口(22C)からリール本体(10)が飛び出さないように覆う蓋部材(24)を備えこととしてもよい。
【００１７】
（作用）
蓋部材(24)が存在するので、被固定体(30)が揺れるなどしても、リール本体(10)がリールポケット(20)のリール出入り口(22C)から飛び出すことを防いでくれる。
【００１８】
（第一の発明のバリエーション３）
第一の発明に係るリールポケット(20)は、前記の紐先端引き出し孔(22A)の位置を変えられるように形成してもよい。
具体的には、たとえば、カバー部材(22)の側面に２つ以上のスライダーを有する線状のファスナーにて開閉可能に設ける。前記２つスライダー間に紐先端引き出し孔(22A)に該当する開口が形成される。前記２つスライダーを移動させることによって前記開口、すなわち紐先端引き出し孔(22A) の位置が変わる。
【００１９】
（作用）
被固定体(30)に対するリールポケット(20)の固定位置によって、リール本体(10)のリール紐(11)を引き出し易い方向がある。紐先端引き出し孔(22A)の位置を変えられるように形成したので、最もリール紐(11)を引き出しやすい箇所を選ぶこととなる。
【００２０】
（第一の発明のバリエーション４）
第一の発明に係るリールポケット(20)は、前記の紐先端引き出し孔(22A)を複数備えることとしてもよい。
たとえば、真下と左右のいずれか、あるいは、左右の両方、真上と真下、などである。
【００２１】
（作用）
被固定体(30)に対するリールポケット(20)の固定位置によって、リール本体(10)のリール紐(11)を引き出し易い方向がある。紐先端引き出し孔(22A)を複数備えたので、そのうち最もリール紐(11)を引き出しやすい箇所を選ぶこととなる。
【００２２】
（第一の発明のバリエーション５）
第一の発明に係るリールポケット(20)は、以下のように形成してもよい。
すなわち、前記のリール出入り口(22C)から収納されたリール本体(10)が安定するように、リール本体(10)を押さえる押さえ部材(25)を備えることとしてもよい。
【００２３】
（作用）
押さえ部材(25)を設けたので、たとえば被固定体(30)が上下に揺れるなどしても、リール本体(10)がリールポケット(20)のリール出入り口(22C)から飛び出すことを防いでくれる。また、リール本体(10)が押さえ部材(25)によって下方へ押さえられるので、リールポケット(20)の内部へ安定した状態で収納される。
【００２４】
（第一の発明のバリエーション６）
第一の発明に係るリールポケット(20)は、以下のように形成してもよい。
すなわち、  前記の紐先端引き出し孔(22A)から引き出された紐先端（12)に固定されたツール(40)を覆って安定させるためのツールカバー(50)を備えることとしてもよい。
【００２５】
（作用）
ツールカバー(50)を設けたので、たとえば被固定体(30)である衣服が揺れるなどしても、紐先端 (12)に固定されたツール(40)を覆って、ツール(40)が揺れないように押さえて安定させる。
【００２６】
（第一の発明のバリエーション７）
第一の発明に係るリールポケット(20)は、以下のように形成してもよい。
すなわち、  前記のリール本体(10)において、ポケット基材(21) の内側面またはカバー部材(22)の内側面に接する面には、前記のリール出入り口(22C)から収納されたリール本体(10)が飛び出しにくくするための凹凸(13)を備えることとしてもよい。
【００２７】
（作用）
凹凸(13)を設けたので、リール出入り口(22C)から収納されたリール本体(10)は、ポケット基材(21)とカバー部材(22)にて凹凸(13)に沿って押さえられる。したがって、被固定体(30)が大きく揺れるなどしても、リール本体(10)がリールポケット(20)のリール出入り口(22C)から飛び出すことを防いでくれる。
【発明の効果】
【００２８】
本願における第一の発明によれば、リール紐を引き出したり収納したりすることができるリール本体を、突刺ピンのような取付け具を使用することなく被服などの被固定体に固定できるリールポケットを提供することができた。
【図面の簡単な説明】
【００２９】
【図１】本発明の一実施形態のリールポケットを被固定体である釣り用ベストに固定したことを示す斜視図である。
【図２】本発明の一実施形態のリールポケットを示す斜視図である。
【図３】図２のリールポケットの構成を示す分解斜視図である。
【図４】（ａ）は、引き出したリール紐がリール本体へ戻される時の状態を示し、（ｂ）は、リール紐の紐先端に固定した道具がリール保護体に衝突した状態を示す説明図である。
【図５】（ａ）は、本発明に係る他の実施形態のリールポケットを示す斜視図で、（ｂ）は、前記リールポケットにおけるポケット基材の裏面を示す斜視図である。
【図６】本発明に係る他の実施形態のリールポケットを示す斜視図である。
【図７】（ａ）は、図６のリールポケットを右斜め下から視た斜視図で、（ｂ）は、図６のリールポケットを左斜め下から視た斜視図である。
【図８】（ａ），（ｂ），（ｃ）は、図６のリールポケットにおいてリール本体を３通りの方向で挿入したときの正面図である。
【図９】本発明に係る他の実施形態のリールポケットを示す斜視図である。
【図１０】図９のリールポケットの構成を示す分解斜視図である。
【図１１】（ａ）は、図９のリールポケットにおいてリール紐の紐先端がリール保護体のスリットを広げて引き出される時の状態を示し、（ｂ）は、リール紐の紐先端がリール保護体に衝突した状態を示す説明図である。
【図１２】図９のリールポケットにおいてツールカバーを備えた斜視図である。
【図１３】図９のリールポケットにおいて別のツールカバーを備えた斜視図である。
【図１４】図９のリールポケットにおいて別のツールカバーを備えた斜視図である。
【図１５】本発明に係る他の実施形態のリールポケットを示す斜視図である。
【図１６】図１５のリールポケットの構成を示す分解斜視図である。
【図１７】図１５のリールポケットにおいてツールカバーを備えた斜視図である。
【図１８】図１５のリールポケットにおいて別のツールカバーを備えた斜視図である。
【図１９】図１５のリールポケットにおいて別のツールカバーを備えた斜視図である。
【図２０】（ａ）は、本発明に係る他の実施形態のリールポケットを示す斜視図で、（ｂ）は、リール本体をリールポケットに挿入した状態を示す斜視図で、（ｃ）は、リールポケットが揺れた時のリール本体の動作を示す斜視図である。
【図２１】（ａ）は、本発明に係る他の実施形態のリールポケットを示す斜視図で、（ｂ）は、リール本体をリールポケットに挿入した状態を示す斜視図で、（ｃ）は、リールポケットが揺れた時のリール本体の動作を示す斜視図である。
【図２２】本発明に係る他の実施形態のリールポケットを示す斜視図である。
【図２３】（ａ），（ｂ），（ｃ）は、図２２のリールポケットにおいて３つのリール本体を３通りの方向で挿入したときの正面図である。
【図２４】リールポケットを固定した被固定体を示し、（ａ）の被固定体は前掛けで、（ｂ）の被固定体は作業衣服で、（ｃ）の被固定体は、ヘルメットである。
【図２５】リールポケットを固定した他の被固定体を示す斜視図である。
【図２６】図２５の被固定体に別のリールポケットを固定した斜視図である。
【図２７】（ａ）は、リールポケットを固定した他の被固定体を示す斜視図で、（ｂ）は、（ａ）のリールポケットを示す正面図および側面図で、（ｃ）は、（ａ）の他のリールポケットを示す正面図および側面図である。
【図２８】（ａ）は、リールポケットを固定した他の被固定体を示す斜視図で、（ｂ）および（ｃ）は、（ａ）のリールポケットを示す正面図である。
【図２９】（ａ）は、リールポケットを固定した他の被固定体を示す斜視図で、（ｂ）は、（ａ）のリールポケットを示す斜視図である。
【図３０】リールポケットを固定した別の被固定体を示す斜視図である。
【図３１】本発明に係る他の実施形態のリールポケットを示す斜視図である。
【図３２】図３１のリールポケットにおける縦断面図である。
【図３３】図３１のリールポケットの使用例を示す斜視図である。
【図３４】本発明に係る他の実施形態のリールポケットを示す斜視図である。
【図３５】図３４のリールポケットの使用例を示す斜視図である。
【図３６】（ａ）は、リールポケットを固定した他の被固定体を示す斜視図で、（ｂ）は、（ａ）の被固定体である背広の裏面に固定したリールポケットを示す斜視図である。
【図３７】本発明に係る他の実施形態のリールポケットを示す斜視図である。
【図３８】図３０に示した被固定体（クーラーボックス）における使用状態のバリエーションを示す斜視図である。
【図３９】被固定体を携帯電話ケースとした実施形態を示す斜視図である。
【図４０】図３９に示した携帯電話ケースの拡大斜視図である。
【発明を実施するための形態】
【００３０】
以下、本発明の実施形態について図面を参照して説明する。
本実施形態に係るリールポケット２０は、図１および図２に示すように、例えば釣人が着用する釣り用ベスト３５などの被固定体３０へ固定するものである。さらに、たとえば釣人が魚釣りする際に、鋏、カッター、フックシャープナーなどの魚釣り用のツール４０（図４参照）を前記被固定体３０に吊り下げて携帯するためのリール本体１０を収納するものである。前記被固定体３０としては、他にカバン、クーラーボックスなどがあり、特に限定されない。
【００３１】
リール本体１０とは、リール紐１１を引き出したり収納したりすることができるものである。すなわち、リール本体１０の内部には、リール紐１１を引き出したり収納したりする巻き取り機構を備えている。さらに、引き出したリール紐１１を引き出した状態にて維持するためのロック機構も備えている。
上記の巻き取り機構としては、例えば従来技術の特許文献１で示されたピンオンリールのケーシング内部に収容されたスプールなどの従前の機構と同様のものでよい。その一例を示すと、リール紐１１がスプールに巻き取られており、前記スプールはリール本体１０の内部に支持軸にて回転可能に支持され、前記支持軸とスプールとの間に設けた巻きばねによって巻き戻される構造である。
【００３２】
前記リール紐１１の紐先端１２には作業用の道具を固定する。紐先端１２とは、リール紐１１を固定することで便利に用いるツール４０などの道具を固定する。前記ツール４０としては、たとえば魚釣り用の，鋏、カッター、フックシャープナーなどがある。  本実施形態では、前記紐先端１２としては、道具を直接固定する場合の他、通常は、図２に示すようにワンタッチスナップにおけるオスメス部材のうちの一方を固定している。
【００３３】
前記リールポケット２０は、図２に示すように、被固定体３０へ固定されるポケット基材２１と、前記リール本体１０を出し入れするリール出入り口２２Ｃを備えて前記ポケット基材２１へ重ね合わせて固定されるカバー部材２２と、を備える。すなわち、ポケット基材２１とカバー部材２２によってリール本体１０を収納するポケットを構成する。なお、本実施形態では、前記ポケット基材２１とカバー部材２２は布地であるが、布地に限定されず、他の材質でもよい。
【００３４】
ポケット基材２１は、図３に示すように、あらかじめ接着シート等の基材固定部材２１Ａをポケット基材２１の裏面に貼り付けておくことができる。前記接着シートは、加熱することで接着機能を発生するシートが便利である。その場合、ポケット基材２１を被固定体３０に当ててからアイロン等を用いてポケット基材２１の表面を加熱すると、前記接着シートが溶融し、ポケット基材２１が被固定体３０に接着することになる。
なお、前記ポケット基材２１を被固定体３０に固定する方法は、上記のように基材固定部材２１Ａを使用しなくても、ポケット基材２１を被固定体３０に縫付けてもよく、あるいはその他の方法であってもよく、特に限定されない。
【００３５】
前記リールポケット２０は、リール出入り口２２Ｃから入れたリール本体１０を収納した際に、リール紐１１の紐先端１２をリールポケット２０から外へ引き出すための紐先端引き出し孔２２Ａを備えている。
【００３６】
前記リールポケット２０は、その内部にリール保護体２３を備えることができる。前記リール保護体２３は、リール出入り口２２Ｃから収納されたリール本体１０におけるリール紐１１の引き出し部付近をカバーするものである。また、前記リール保護体２３は、リール本体１０がリール紐１１を巻き取る際に、紐先端１２へ固定したツール４０がリール本体１０へ直接衝突することを防ぐ緩衝材の役割を果たす。
【００３７】
前記リール保護体２３の一例としては、たとえば図３に示すようにゴム製の帯状体からなり、カバー部材２２の両側面と底面に沿う上向きコ字形状に形成されている。さらに、前記帯状体の幅の中央に、当該帯状体の長手方向に延びるスリット２３Ａが設けられる。前記スリット２３Ａはリール紐１１を通すための自在孔である。なお、スリット２３Ａはその長手方向に適宜間隔を介して連結部にて連結されている。前記帯状体はゴム製で弾力性があるのでスリット２３Ａを広げて紐先端１２を通過させることによって、スリット２３Ａにリール紐１１を通すことができる。その後、広げる力を解放すると帯状体のスリット２３Ａが元の状態に戻る。
【００３８】
また、前記リール保護体２３は、前記帯状体の側縁に沿ってフランジ２３Ｂが形成されている。
前記リール保護体２３は、カバー部材２２をポケット基材２１へ重ね合わせて固定する時に一緒に組み入れても、あるいは、カバー部材２２とポケット基材２１を固定した後に、リール出入り口２２Ｃから内部へ装着してもよい。
【００３９】
上記のリールポケット２０における作用について説明する。
まず、被固定体３０に対してポケット基材２１を固定する。本実施形態では、ポケット基材２１の裏面に、あらかじめ基材固定部材２１Ａである加熱式の接着シートを貼り付けている。ポケット基材２１を被固定体３０に当ててからアイロンを用いてポケット基材２１の表面を加熱する。ポケット基材２１は溶融した接着シートによって被固定体３０に接着固定される。
次に、リール本体１０をリール出入り口２２Ｃから挿入すると、図４に示すようにポケット基材２１とカバー部材２２とに挟まれることとなる。それから、リール保護体２３のスリット（自在孔）２３Ａを広げてリール紐１１の紐先端１２を通過させ、紐先端引き出し孔２２Ａから外に出す。その紐先端１２へ、鋏、カッター、フックシャープナーなどの魚釣り用のツール４０を固定する。
【００４０】
前記紐先端１２へ固定したツール４０を引っ張ると、リール本体１０に収納されていたリール紐１１を引き出すことができる。鋏などのツール４０を操作して作業するとき、リール本体１０がカバー部材２２にて覆われているので邪魔にならない。また、リール本体１０内にロック機構を備えていると、リール紐１１がちょうど良い長さで作業が容易になる。その作業が終わったら前記ロック機構を解除し、リール紐１１が再びリール本体１０に巻き戻される。リール紐１１が巻き戻される際に、リール保護体２３が緩衝材となって前記ツール４０がリール本体１０へ直接衝突することを防ぐこととなる。
【００４１】
なお、前述した基材固定部材２１Ａの代わりに、ポケット基材２１と固定体３０とに、面ファスナーのペアを固定することも可能である。この場合、被固定体３０に対して着脱が容易に行えるリールポケット２０となる。
【００４２】
次に、いくつかの他の実施形態のリールポケットについて説明する。主に前述したリールポケット２０に対して異なる点を説明し、同様の部分は説明を省略する。
図５および図６に示すように、前述したリールポケット２０に対して、リール出入り口２２Ｃからリール本体１０が飛び出さないように覆うポケット蓋部材２４を備えことができる。
【００４３】
ポケット蓋部材２４は、カバー部材２２の上方にて前記リール出入り口２２Ｃを覆うようにして、ポケット蓋部材２４の一側縁側をポケット基材２１の表面に固定する。さらに、ポケット蓋部材２４の他側縁側をカバー部材２２に開閉可能に固定するために、面ファスナーなどの蓋固定部材２４Ａを設ける。すなわち、前記蓋固定部材２４Ａは、互いに、くっつけたり剥がしたりできる，対をなす固定部材片２４Ａａと固定部材片２４Ａｂとからなる。前記固定部材片２４Ａａはポケット蓋部材２４に取り付け、前記固定部材片２４Ａｂはカバー部材２２に取り付ける。
ポケット蓋部材２４を設けたので、たとえば被固定体３０である衣服が揺れるなどしても、リール本体１０がリールポケット２０のリール出入り口２２Ｃから飛び出すことを防いでくれる。
【００４４】
また、別の実施形態としては、前述したリールポケット２０に対して、前記紐先端引き出し孔２２Ａを複数箇所に設けることができる。たとえば、真下と左右のいずれか、あるいは、左右の両方、真上と真下、などである。
具体的には、たとえば図２、図５、図６および図７に示すようにリールポケット２０の下部に位置する孔だけでなく、図において左右の横に位置する横孔２２Ｂ，２２Ｂを設けることができる。なお、横孔２２Ｂは紐先端引き出し孔２２Ａと同じであるが、図では分かりやすく符号を変えている。
図８（ａ）では、紐先端引き出し孔２２Ａがリールポケット２０の下部に位置している。図８（ｂ）では横孔２２Ｂがリールポケット２０の右横に、図８（ｃ）では横孔２２Ｂがリールポケット２０の左横に位置している。リール本体１０をリール出入り口２２Ｃから挿入する際、リール本体１０から引き出されるリール紐１１の紐先端１２を、目的の紐先端引き出し孔２２Ａ、横孔２２Ｂ，２２Ｂの位置に合わせるようにする。
【００４５】
被固定体３０に対するリールポケット２０の固定位置によって、リール本体１０のリール紐１１を引き出し易い方向がある。紐先端引き出し孔２２Ａ（横孔２２Ｂ，２２Ｂを含む）を複数箇所に設けたので、紐先端引き出し孔２２Ａ，横孔２２Ｂ，２２Ｂのうちで最もリール紐１１を引き出し易い箇所を選ぶことができる。
【００４６】
また、別の実施形態としては、前述したリールポケット２０に対して、前記紐先端引き出し孔２２Ａの位置を変えられるように形成してもよい。
具体的には、図９、図１０および図１１に示すように、カバー部材２２の両側面と底面を、線状のファスナー２７にて開閉可能に設け、２つ以上のスライダー２７Ａ，２７Ａによって開口２７Ｃを変えられるように構成することができる。ファスナー２７は、基本的には左右対のテープ状の基材に並べたエレメント２７Ｂをスライダー２７Ａによって噛み合わせたり離したりして開閉するものである。本実施形態では少なくとも２つのスライダー２７Ａ，２７Ａを備えることによって、２つのスライダー２７Ａ，２７Ａの間に、前記紐先端引き出し孔２２Ａに該当する開口２７Ｃを形成する。前記２つのスライダー２７Ａ，２７Ａを移動して前記開口２７Ｃの位置を自在に変えることができる。
【００４７】
図１１（ａ）は、リール保護体２３のスリット（自在孔）２３Ａを広げてリール紐１１の紐先端１２を通過させ、２つのスライダー２７Ａ，２７Ａの間の開口２７Ｃから外に引き出した状態を示している。図１１（ｂ）は、リール紐１１が再びリール本体１０に巻き戻され、前記紐先端１２がリール保護体２３に付き当った状態を示している。
したがって、紐先端引き出し孔２２Ａに該当する開口２７Ｃは、被固定体３０に対するリールポケット２０の固定位置によって、リール本体１０のリール紐１１を引き出し易い方向の箇所へ変えることができる。
【００４８】
また、別の実施形態としては、前述したリールポケット２０に対して、図１２〜図１４に示すように、前記紐先端引き出し孔２２Ａあるいは前記開口２７Ｃから引き出された紐先端１２へ固定したツール４０を覆って安定させるためのツールカバー５０を備えることができる。なお、他は図９と同様である。
図１２では、ツールカバー５０が、２つのツールカバーテープ５１，５１を上下に並列している。各ツールカバーテープ５１，５１は、ツール４０としての小型ハサミ４１を挿入できる間隔５１Ａ，５１Ａを形成するように横方向の両端側をポケット基材２１に固定している。
【００４９】
図１３では、ツールカバー５０は、ツールカバー部材５２をポケット基材２１へ重ね合わせて、ツール４０としての小型ハサミ４１を挿入する開口５２Ａを備えたポケット形状となるように固定している。
【００５０】
図１４では、ツールカバー５０は、ツールカバーシート５３をポケット基材２１へ重ね合わせて、ツール４０としての小型ハサミ４１を挿入する開口５３Ａを備えたポケット形状となるように面ファスナーなどのツールカバー固定部材５４にて開閉可能に固定している。すなわち、前記ツールカバー固定部材５４は、互いにくっつけたり剥がしたりできる，対をなす固定部材片５４Ａと固定部材片５４Ｂとからなる。前記固定部材片５４Ａはツールカバーシート５３に取り付け、前記固定部材片５４Ｂはポケット基材２１に取り付ける。
【００５１】
上記のようにツールカバー５０を設けたので、たとえば被固定体３０である衣服が揺れるなどしても、紐先端１２へ固定したツール４０を覆って、ツール４０である例えば小型ハサミ４１が揺れないように押さえて安定させる。
【００５２】
別の実施形態としては、前述したリールポケット２０に対して、線状のファスナー２７によって、前記リール出入り口２２Ｃを開閉可能にするとともに、前記紐先端引き出し孔２２Ａの位置も変えられるように形成してもよい。
具体的には、図１５および図１６に示すように、カバー部材２６をポケット基材２１へ重ね合わせて上下左右の側縁側を固定して袋状に形成する。さらに、前記カバー部材２６の両側面と上面と底面とのほぼ全周あるいは全周を、線状のファスナー２７にて開閉可能に設け、２つ以上のスライダー２７Ａによって開口２７Ｃを変えられるように構成することができる。ファスナー２７の構成は、図９のリールポケット２０について説明した通りである。
【００５３】
２つのスライダー２７Ａ，２７Ａの間に開口２７Ｃを形成する。前記２つのスライダー２７Ａ，２７Ａを移動して前記開口２７Ｃの位置を自在に変えることができる。したがって、２つのスライダー２７Ａ，２７Ａをカバー部材２６の上面に移動して上部に開口２７Ｃを形成することによって、前記上部に開口２７Ｃは前記リール出入り口２２Ｃに該当する開口２７Ｃとなる。その上部の開口２７Ｃからリール本体１０を出し入れすることができる。
【００５４】
リールポケット２０の内部に、前述したリール保護体２３とほぼ同様のリール保護体（ここでは、同符号とする）を備えることができる。異なる点は、帯状体が全周にわたって形成され、スリット（自在孔）２３Ａも帯状体の全周にわたって形成されている点である。  スリット２３Ａは、所望する箇所にリール紐１１の引き出し位置を形成できるが、全周を分離してしまわないように用いる。
前記リール保護体２３は、カバー部材２６をポケット基材２１へ重ね合わせて固定する時に一緒に組み入れても、あるいは、カバー部材２６とポケット基材２１を固定した後に、上記の開口２７Ｃから内部へ装着してもよい。
【００５５】
２つのスライダー２７Ａ，２７Ａをカバー部材２６の側面あるいは底面へ移動すると、上部の開口２７Ｃが閉じられる。さらに、２つのスライダー２７Ａ，２７Ａをリール本体１０のリール紐１１を引き出し易い位置へ移動し、紐先端引き出し孔２２Ａに該当する開口２７Ｃを形成することができる。その開口２７Ｃからリール紐１１の紐先端１２を通過させ外に引き出す。
【００５６】
また、別の実施形態としては、前述したリールポケット２０に対して、図１７〜図１９に示すように、前記紐先端引き出し孔２２Ａあるいは前記開口２７Ｃから引き出された紐先端１２へ固定したツール４０を覆って安定させるためのツールカバー５０を備えることができる。なお、他は図１５と同様である。また、上記のツールカバー５０については、前述した図１２〜図１４におけるツールカバー５０と同様であるので、詳しい説明は省略する。
図１７のツールカバー５０は、図１２におけるツールカバー５０と同様である。
図１８のツールカバー５０は、図１３におけるツールカバー５０と同様である。
図１９のツールカバー５０は、図１４におけるツールカバー５０と同様である。
【００５７】
また、別の実施形態としては、前述したリールポケット２０に対して、前記リール出入り口２２Ｃから収納されたリール本体１０が安定するように、リール本体１０を押さえる押さえ部材２５を備えることができる。他は図２とほぼ同様である。
具体的には、たとえば図２０に示すようにリールポケット２０は、被固定体３０へ固定されるポケット基材２１と、前記リール本体１０を出し入れするリール出入り口２２Ｃを備えて前記ポケット基材２１へ重ね合わせて固定されるカバー部材２２と、を備える。  さらに、リール出入り口２２Ｃから入れたリール本体１０を収納した際に、リール紐１１の紐先端１２をリールポケット２０から外へ引き出すための紐先端引き出し孔２２Ａを備えている。
前記押さえ部材２５は、リール出入り口２２Ｃの幅のほぼ中央に位置して、当該リール出入り口２２Ｃの長手方向に向けて延びたゴム製の棒状体である。押さえ部材２５は、張力を有するように前記棒状体の両端がカバー部材２２の側面に固定されている。
【００５８】
リール本体１０をリール出入り口２２Ｃから挿入するには、押さえ部材２５を伸ばして図２０（ａ）から図２０（ｂ）の状態となるように内部へ挿入する。リール本体１０はポケット基材２１とカバー部材２２とに挟まれ、上部は押さえ部材２５にて押さえられるので安定する。リール本体１０におけるリール紐１１の紐先端１２を紐先端引き出し孔２２Ａから外に引き出す。
押さえ部材２５を設けたので、図２０（ｃ）に示すように、たとえば被固定体３０が上下に揺れるなどしても、リール本体１０がリールポケット２０のリール出入り口２２Ｃから飛び出すことを防いでくれる。また、リール本体１０が押さえ部材２５によって下方へ押さえられるので、リールポケット２０の内部へ安定した状態で収納される。
【００５９】
別の実施形態としては、前述したリールポケット２０に対して、図２１（ａ）に示すように、前記リール本体１０は、ポケット基材２１の内側面またはカバー部材２２の内側面に接する面に、リール出入り口２２Ｃから収納されたリール本体１０が飛び出しにくくするための凹凸１３を備えてもよい。
リール本体１０をリール出入り口２２Ｃから挿入すると、リール本体１０はポケット基材２１とカバー部材２２とに挟まれる。このとき、図２１（ｂ）に示すように、ポケット基材２１の内側面またはカバー部材２２の内側面が、前記凹凸１３に沿ってリール本体１０が飛び出しにくくなる。
リール本体１０に凹凸１３を設けたことによって、図２１（ｃ）に示すように、たとえば被固定体３０が大きく揺れるなどしても、リール本体１０がリールポケット２０のリール出入り口２２Ｃから飛び出すことを防いでくれる。
【００６０】
別の実施形態としては、前述したリールポケット２０に対して、ポケット内部に複数のリール本体１０を収納するように形成してもよい。
具体的には、図２２に示すように、カバー部材２２をポケット基材２１へ重ね合わせて固定する際、たとえば３つのリール本体１０を出し入れできるように、カバー部材２２とポケット基材２１の間に２つの仕切り部材２２Ｄを設ける。リールポケット２０の上部には３つのリール出入り口２２Ｃが形成される。しかも、各ポケットには、収納したリール本体１０からのリール紐１１の紐先端１２を外へ引き出すための紐先端引き出し孔２２Ａ（横孔２２Ｂを含む）を複数箇所に設ける。本実施形態では、真下と左右の両方に備えている。
【００６１】
３つのポケットには、３つのリール本体１０を互いに異なる位置の紐先端引き出し孔２２Ａ（または横孔２２Ｂ）からリール紐１１の紐先端１２を引き出すように収納することができる。例えば図２２に示すように、ポケット基材２１に近いポケットには、リール紐１１の紐先端１２を真下の紐先端引き出し孔２２Ａから引き出すように一つ目のリール本体１０を収納する。その手前のポケットには、左横の横孔２２Ｂ（紐先端引き出し孔２２Ａ）から引き出すように二つ目のリール本体１０を収納し、さらに手前のポケットには、右横の横孔２２Ｂ（紐先端引き出し孔２２Ａ）から引き出すように三つ目のリール本体１０を収納する。
【００６２】
図２３では、リール本体１０の平面形状を角のない正方形とした場合、そのリール本体の形状に合わせてリールポケット２０を形成している。
この場合、リール紐１１の紐先端１２を、図２３（ａ）に示す下方向、図２３（ｂ）に示す右、図２３（ｃ）に示す左方向のいずれから出しても、リール本体１０がリールポケット２０に対して、きっちりと収まることになる。
【００６３】
以上のように記載した各実施形態のリールポケット２０は、前述したようにいろいろな被固定体３０に取り付けることができるので、被固定体３０は特に限定されない。
図２４では、いくつかの被固定体３０を例として示している。図２４（ａ）の被固定体３０は、釣人が魚釣り時に使用するゴム製の前掛け３１である。図２４（ｂ）の被固定体３０は、一般の作業に使用する作業衣服３２である。
【００６４】
図２４（ｃ）の被固定体３０はヘルメット３３であり、そのヘルメット３３の側面にリールポケット２０を固定している。たとえば釣人が夜釣りをする際、前記リールポケット２０のリール紐１１の紐先端１２へ懐中電灯を固定することができる。一般的に、夜釣りにはヘルメットに懐中電灯を固定するが、光の当て具合によっては釣れなくなるので神経を使う。実際、懐中電灯を固定したヘルメットでは、視線方向と光線方向を変えることは難しい。そこで、リールポケット２０を使用して懐中電灯を常時、使い易い状態にしておくなら、便利であり効果的である。
【００６５】
図２５および図２６では、被固定体３０は、釣人が魚釣り時に使用するウェーダー３４（釣り用長靴）である。図では、穿いた時に胸までの長さがあるタイプであり、リールポケット２０をウェーダー３４の背の箇所に固定している。前記リールポケット２０に収納したリール本体１０から引き出したリール紐１１の紐先端１２へ釣用ランディングネット４２を固定している。図２５では、図２０に示すようなリールポケット２０を図示している。
【００６６】
図２６では、図１５に示すようなリールポケット２０を図示している。なお、上記のリールポケット２０は一例を示すものであり、他のリールポケット２０を適用できる。
【００６７】
釣用ランディングネット４２は、魚がかかった時に直ぐに必要とするが、不要の時は大きいので邪魔になる。しかし、図２５および図２６に示すように背中のリールポケット２０に収納したリール本体１０から引き出したリール紐１１は、釣人の肩に掛けて前記釣用ランディングネット４２を釣人の前面にぶら下げることができる。邪魔にならず、魚がかかった時に直ぐにリール紐１１を引き出して使用できる。
【００６８】
図２７（ａ）では、被固定体３０は、釣人が着用する釣り用ベスト３５で、そのフロント側に幾つもの小物入れ用ポケットを備えている。リールポケット２０を釣り用ベスト３５における襟の後ろの内側に固定している。前記リールポケット２０に収納したリール本体１０から引き出したリール紐１１の紐先端１２へ帽子４３を固定している。
【００６９】
図２７（ｂ）では、図５に示すようなリールポケット２０においてポケット蓋部材２４のほぼ中央に紐先端引き出し孔２４Ｃを設けたものを図示している。図２７（ｃ）では、図２に示すようなリールポケット２０においてリール出入り口２２Ｃを開閉可能とするために面ファスナーなどの蓋用固定部材２２Ｅを設けている。前記蓋用固定部材２２Ｅは、図６で示したように互いにくっつけたり剥がしたりできる，一対の固定部材片からなる。なお、上記のリールポケット２０は一例を示すものであり、各種のリールポケット２０を適用できる。
釣り場では突風が吹く場合があるので、帽子４３が飛ばされることがある。しかし、リール紐１１の紐先端１２へ帽子４３を固定しているので、飛ばされても大丈夫である。
【００７０】
図２８（ａ）では、被固定体３０は、釣人が着用する釣り用ベスト３５で、そのフロント側に幾つもの小物入れ用ポケットを備えている。リールポケット２０を釣り用ベスト３５におけるフロント側の任意の箇所に固定している。
図２８（ｂ）および図２８（ｃ）では、釣り用ベスト３５におけるフロント側の裏面にリールポケット２０を固定し、前記リールポケット２０のリール出入り口２２Ｃが、前記釣り用ベスト３５に形成したポケット用開口３５Ａに連通している。すなわち、前記釣り用ベスト３５にポケット用開口３５Ａを形成し、そのポケット用開口３５Ａとリール出入り口２２Ｃを連通するようにしてリールポケット２０を釣り用ベスト３５の裏側に固定する。
【００７１】
図２９（ａ）では、被固定体３０は、釣人が着用する釣り用ベスト３５で、そのフロント側の裏面に、リールポケット２０を固定している。
詳しく説明すると、図２９（ｂ）に示すように前記リールポケット２０における紐先端引き出し孔２２Ａに近い場所に、釣り用ベスト３５のフロント側の表裏面に連通する貫通孔部３５Ｂを形成する。さらに、前記貫通孔部３５Ｂの下方位置に、図１２〜図１４に示すようなツールカバー５０を釣り用ベスト３５のフロント側の表面に形成している。図２９は図１４に示すツールカバー５０と同様である。
【００７２】
前記リールポケット２０に収納したリール本体１０から引き出したリール紐１１の紐先端１２を、前記貫通孔部３５Ｂに通過させて釣り用ベスト３５のフロント側の表面に出す。紐先端１２へツール４０としての小型ハサミ４１を固定している。
上記のようにツールカバー５０を設けたので、たとえば被固定体３０である衣服が揺れるなどしても、紐先端１２へ固定したツール４０を覆って、ツール４０である例えば小型ハサミ４１が揺れないように押さえて安定させる。
【００７３】
図３０では、被固定体３０は、釣人が魚釣り時に使用するクーラーボックス３６であり、リールポケット２０を前記クーラーボックス３６の側面に固定している。図３０では、図１５に示すようなリールポケット２０を図示している。上記のリールポケット２０は一例を示すものであり、他のリールポケット２０を適用できる。
【００７４】
別の実施形態としては、前述したリールポケット２０に対して、各構成部材の材質を樹脂などの硬質素材にすることができる。基本的な構成は前述した各種のリールポケット２０と同様である。
具体的には、図３１および図３２に示すように、被固定体３０へ取付け固定されるポケット基材２１と、リール本体１０を出し入れするリール出入り口２２Ｃを備えて前記ポケット基材２１へ接着剤等で固定されるカバー部材２２と、を備える。ポケット基材２１は、たとえば釣人のベルト３８に引っ掛けるための掛け具２８を備えている。
【００７５】
前記リールポケット２０は、リール出入り口２２Ｃから入れたリール本体１０を収納した際に、リール紐１１の紐先端１２をリールポケット２０から外へ引き出すための紐先端引き出し孔２２Ａを備えている。
また、リール出入り口２２Ｃからリール本体１０が飛び出さないように覆うポケット蓋部材２４を備えることができる。前記ポケット蓋部材２４は、カバー部材２２の上方にて前記リール出入り口２２Ｃを覆うようにして、ヒンジ２４Ｂを介してポケット基材２１の表面に固定する。
【００７６】
上記の樹脂製のリールポケット２０に対しても、前述した図９に示すリールポケット２０のように、カバー部材２２の両側面と底面を、線状のファスナー２７にて開閉可能に設け、２つ以上のスライダー２７Ａによって開口２７Ｃを変えられるように構成することができる。図３１では、上記の線状のファスナー２７を設けた樹脂製のリールポケット２０を図示している。
【００７７】
リール本体１０をリール出入り口２２Ｃから挿入すると、ポケット基材２１とカバー部材２２とに挟まれることとなる。それから、リール紐１１の紐先端１２を紐先端引き出し孔２２Ａ、あるいは２つのスライダー２７Ａ，２７Ａの間に形成した開口２７Ｃから外に出す。
上記の紐先端１２へ、鋏、カッター、フックシャープナーなどの魚釣り用のツール４０を固定することができるが、図３３に示すように水面に浮かぶ魚釣り用曳舟４４を固定することもできる。
【００７８】
別の実施形態としては、図３４に示すように構成することができる。すなわち、前述した図３１に示す樹脂製のリールポケット２０に対して、前述した図１５および図１６に示すリールポケット２０のように、カバー部材２６をポケット基材２１へ接着剤等で固定してポケットに形成している。
さらに、前記カバー部材２６の両側面と上面と底面とのほぼ全周あるいは全周を、線状のファスナー２７にて開閉可能に設け、２つ以上のスライダー２７Ａによって開口２７Ｃを変えられるように構成する。図３４では、上記の線状のファスナー２７を設けた樹脂製のリールポケット２０を図示している。他は、図３１に示す樹脂製のリールポケット２０と同様である。
【００７９】
この実施形態の作用は、前述した図１５および図１６に示すリールポケット２０の場合とほぼ同様である。すなわち、２つのスライダー２７Ａ，２７Ａの間に、前記紐先端引き出し孔２２Ａに該当する開口２７Ｃを形成する。前記２つのスライダー２７Ａ，２７Ａを移動して前記開口２７Ｃの位置を自在に変えることができる。
したがって、２つのスライダー２７Ａ，２７Ａをカバー部材２６の上面に移動して上部に開口２７Ｃを形成することによって、前記上部に開口２７Ｃは前記リール出入り口２２Ｃに該当する開口２７Ｃとなる。その上部の開口２７Ｃからリール本体１０を出し入れすることができる。
【００８０】
２つのスライダー２７Ａ，２７Ａをカバー部材２６の側面あるいは底面へ移動すると、上部の開口２７Ｃが閉じられる。さらに、２つのスライダー２７Ａ，２７Ａをリール本体１０のリール紐１１を引き出し易い位置へ移動し、紐先端引き出し孔２２Ａに該当する開口２７Ｃを形成することができる。その開口２７Ｃからリール紐１１の紐先端１２を通過させ外に引き出す。
上記の紐先端１２へ、鋏、カッター、フックシャープナーなどの魚釣り用のツール４０を固定することができるが、図３５に示すように水面に浮かぶ魚釣り用曳舟４４を固定することもできる。
【００８１】
以上のように記載した各実施形態のリールポケット２０は、主に釣人が魚釣り時に使用する種々の被固定体３０について説明したが、特に限定されないので、他の種類の被固定体３０についてもいくらか説明する。
図３６（ａ）では、背広３７のフロント側の裏面に、リールポケット２０を固定している。詳しく説明すると、図３６（ｂ）に示すように前記背広３７における表面の胸ポケット３７Ａの内部に連通する貫通孔部３７Ｂを形成する。前記リールポケット２０は、その紐先端引き出し孔２２Ａが前記貫通孔部３７Ｂに近い場所に位置するように固定している。
【００８２】
前記リールポケット２０に収納したリール本体１０から引き出したリール紐１１の紐先端１２を、前記貫通孔部３７Ｂに通過させて背広３７のフロント側の胸ポケット３７Ａの内部から外に出す。そして、紐先端１２へ道具としてのたとえば携帯電話４５を固定する。その携帯電話４５は前記胸ポケット３７Ａへ収納しておく。
携帯電話４５を使用する時は、胸ポケット３７Ａから携帯電話４５を取り出し、リール紐１１を引き出す。携帯電話４５を胸ポケット３７Ａへ戻す場合、リール紐１１がリール本体１０へ巻き戻されることになる。したがって、リール紐１１は必要な時に延びてくるが、不要な時は戻されるので、邪魔にならない。しかも、姿勢を変えたために携帯電話４５が胸ポケット３７Ａから出てきても、リール紐１１の先端に固定されているので、落下することを防止できる。
【００８３】
図３７では、たとえばペンチ、モンキーレンチ、ドライバーなどの複数の工具を収納するための腰袋４６を示している。前記腰袋４６は、作業効率を良くするために腰ベルト３８にさげて使用する。前記腰袋４６は、腰ベルト３８にさげるポケット基材２１の上部に、複数のリールポケット２０を形成するカバー部材２２を固定している。さらに、前記ポケット基材２１の下部に、工具を収納するためのツールカバー５０を備えている。図３７のツールカバー５０は図１４の場合と同様である。
【００８４】
図３７の腰袋４６では、カバー部材２２をポケット基材２１へ重ね合わせて、３つのリールポケット２０を形成する。さらに、ツールカバーシート５３をポケット基材２１へ重ね合わせて、各リールポケット２０に対応する３つのツールカバー５０を形成している。本実施形態では前記ポケット基材２１を布地とし、カバー部材２２およびツールカバー５０をポケット基材２１に縫付けて固定している。
上記の３つのリールポケット２０にリール本体１０をリール出入り口２２Ｃから挿入し、リール本体１０から引き出されるリール紐１１の紐先端１２を、下部の紐先端引き出し孔２２Ａから下方へ引き出す。前記各紐先端１２へ各種工具を固定し、各種工具はそれぞれ対応する各ツールカバー５０へ収納する。
【００８５】
図３８では、クーラーボックス３６にリールポケット２０を固定し、そのリール
ポケット２０へ収納したリール本体１０から引き出されたリール紐１１を、釣り竿
４８に連結した場合を示している。
そうすることにより、魚が針掛かりした衝撃によって、釣り竿４８が釣り竿フォル
ダ３６Ａから外れた場合においても、リール紐１１によって連結されたクーラーボ
ックスが重りとなり、釣り竿４８が海に引き込まれることを防止する。
【００８６】
図３９および図４０は、携帯電話ケース４７のような小物入れの内側にリールポケット２０を固定した場合を示している。そのリールポケット２０へ収納したリール本体１０およびリール紐１１などによって、その小物入れに入れたツール（この図では携帯電話４５）が落下したり紛失したりすることを防止するような使い方となる。
なお、リールポケット２０は、携帯電話ケース４７の内側に固定した例を図示したが、携帯電話ケース４７の外側に固定しても良い。更に、ポケット基材２１を省略して、携帯電話ケース４７を構成している部材に直接縫いつけるなどしても良い。
【産業上の利用可能性】
【００８７】
本発明は、釣具、釣用備品の製造業、釣具、釣用備品のレンタル業などのレジャー産業、服飾産業において利用可能性を有する。
【符号の説明】
【００８８】
１０；リール本体                    １１；リール紐
１２；紐先端                        １３；凹凸
２０；リールポケット
２１；ポケット基材                  ２１Ａ；基材固定部材
２２；カバー部材                    ２２Ａ；紐先端引き出し孔
２２Ｂ；横孔                        ２２Ｃ；リール出入口
２２Ｄ；仕切り部材                  ２２Ｅ；蓋用固定部材
２３；リール保護体                  ２３Ａ；スリット（自在孔）
２３Ｂ；フランジ
２４；ポケット蓋部材                ２４Ａ；蓋固定部材
２４Ａａ；固定部材片                ２４Ａｂ；固定部材片
２４Ｂ；ヒンジ                      ２４Ｃ；紐先端引き出し孔
２５；押さえ部材                    ２６；カバー部材
２７；ファスナー                    ２７Ａ；スライダー
２７Ｂ；エレメント                  ２７Ｃ；開口
２８；掛け具
３０；被固定体（服、鞄、クーラーボックス）
３１；ゴム製の前掛け                ３２；作業衣服
３３；ヘルメット                    ３４；ウェーダー（釣り用長靴）
３５；釣り用ベスト                  ３５Ａ；ポケット用開口
３５Ｂ；貫通孔部
３６；クーラーボックス              ３６Ａ；釣り竿フォルダ
３７；背広                          ３７Ａ；胸ポケット
３７Ｂ；貫通孔部
３８；ベルト
４０；ツール（ハサミ、工具）        ４１；小型ハサミ
４２；釣用ランディングネット        ４３；帽子
４４；魚釣り用曳舟                  ４５；携帯電話
４６；腰袋                          ４７；携帯電話ケース
４８；釣り竿
５０；ツールカバー
５１；ツールカバーテープ            ５１Ａ；間隔
５２；ツールカバー部材              ５２Ａ；開口
５３；ツールカバーシート            ５３Ａ；開口
５４；ツールカバー固定部材          ５４Ａ；固定部材片
５４Ｂ；固定部材片
【図１】
2014087303.tif 000003
【図２】
2014087303.tif 000004
【図３】
2014087303.tif 000005
【図４】
2014087303.tif 000006
【図５】
2014087303.tif 000007
【図６】
2014087303.tif 000008
【図７】
2014087303.tif 000009
【図８】
2014087303.tif 000010
【図９】
2014087303.tif 000011
【図１０】
2014087303.tif 000012
【図１１】
2014087303.tif 000013
【図１２】
2014087303.tif 000014
【図１３】
2014087303.tif 000015
【図１４】
2014087303.tif 000016
【図１５】
2014087303.tif 000017
【図１６】
2014087303.tif 000018
【図１７】
2014087303.tif 000019
【図１８】
2014087303.tif 000020
【図１９】
2014087303.tif 000021
【図２０】
2014087303.tif 000022
【図２１】
2014087303.tif 000023
【図２２】
2014087303.tif 000024
【図２３】
2014087303.tif 000025
【図２４】
2014087303.tif 000026
【図２５】
2014087303.tif 000027
【図２６】
2014087303.tif 000028
【図２７】
2014087303.tif 000029
【図２８】
2014087303.tif 000030
【図２９】
2014087303.tif 000031
【図３０】
2014087303.tif 000032
【図３１】
2014087303.tif 000033
【図３２】
2014087303.tif 000034
【図３３】
2014087303.tif 000035
【図３４】
2014087303.tif 000036
【図３５】
2014087303.tif 000037
【図３６】
2014087303.tif 000038
【図３７】
2014087303.tif 000039
【図３８】
2014087303.tif 000040
【図３９】
2014087303.tif 000041
【図４０】
2014087303.tif 000042